(57)【特許請求の範囲】
【請求項１】
遊技媒体を貯留する貯留部を有する遊技媒体収容箱であって、
凹部を有する筐体部と、
貯留部における遊技媒体の貯留状態を疑似的に演出する疑似演出手段を有し、
前記疑似演出手段は、少なくとも一方の面に演出面を有した板状体であり、
前記疑似演出手段は、貯留姿勢から演出姿勢に変更可能であり、
前記疑似演出手段は、凹部の底にあって貯留部の底部を形成する貯留姿勢から、貯留部から外部に引き抜かれて前記演出面が露出して側面から前記演出面を直接視認可能となる演出姿勢に変更することが可能であることを特徴とする遊技媒体収容箱。
【請求項２】
前記筐体部は、前記凹部の底の上に固定部が設けられており、
前記疑似演出手段は、前記貯留姿勢において、前記固定部と係合して凹部の底に固定されていることを特徴とする請求項１に記載の遊技媒体収容箱。
【請求項３】
前記筐体部は、前記凹部の底の上に固定部が設けられており、
前記固定部は、紐状の接続部材と、前記接続部材を巻き取り可能な巻き取り部材を有し、
前記接続部材は、前記疑似演出手段に接続されていることを特徴とする請求項１又は２に記載の遊技媒体収容箱。
【請求項４】
前記疑似演出手段は、複数の疑似演出部材から構成されており、
一の疑似演出部材は、その端面に突起部が形成されており、
他の疑似演出部材は、その端面に固定穴が形成されており、
前記貯留姿勢において、前記一の疑似演出部材の突起部が前記他の疑似演出部材の固定穴に挿入されて、前記一の疑似演出部材と前記他の疑似演出部材が互いに固定されていることを特徴とする請求項１に記載の遊技媒体収容箱。
【発明の詳細な説明】
【技術分野】
【０００１】
本発明は、遊技媒体を貯留する遊技媒体収容箱に関するものである。
【背景技術】
【０００２】
遊技媒体を使用する遊技機として一般的に知られているものに、弾球遊技機（所謂パチンコ機）とスロット機がある。特にパチンコ機は、遊技媒体としてパチンコ球（以下、球ともいう）を使用して遊技するものである。パチンコ機においては、遊技中に球が入賞口に入賞し、大当たりに当選するなどの所定条件が成立することによって、所定個数の球がパチンコ機から遊技者に対して払い出される。なお、スロット機においてもパチンコ機同様、大当たりに当選するなどの所定の条件が成立すると所定枚数のメダルが払い出される構成を有しているが、以下の説明では、理解を容易にするためにパチンコ機に注目して説明する。
【０００３】
パチンコ機から払い出された球のうち、少なくともパチンコ機に備えられた受け皿（上皿及び下皿）の収容量を超える分が手動操作によって、所定の貯留箱に貯留され、その貯留箱は、遊技者が遊技を終了するまで遊技場の床等に並べられる（例えば特許文献１）。これは、他の遊技者に対して、遊技場における現在の球の出具合を効果的に知らしめる手段とされており、遊技者の遊技意欲を高めたり、場内の活気を高めたりするための演出（以下、出球演出ともいう）の１つとなっていた。即ち、大当たりに当選することによって多量の球が払い出され、球を収容した貯留箱を遊技者の足元に複数段積み重ねることが、他の遊技者の球の出具合の指標となり、自分が実際に遊技するか否かを判断する指標となる場合が多い。
【先行技術文献】
【特許文献】
【０００４】
【特許文献１】特開２００８−３０１８６０号公報
【発明の概要】
【発明が解決しようとする課題】
【０００５】
ところで、遊技場の経営者にとっては、より多くの集客を望むため、他の遊技者に強い印象を与える必要がある。
そこで、従来から他の遊技者に強い印象を与える方策の１つとして、空の貯留箱上に球を貯留した貯留箱を載置し、疑似的にかさ上げされている。即ち、他の遊技者の目線に貯留箱を近づけて貯留箱内の球を見えやすくし、実際の出球以上の演出効果が図られている。
しかしながら、出球演出としてかさ上げに使用される最下層の貯留箱は単なる空箱であり、演出効果として十分満足いくものでは無かった。
【０００６】
そこで、本発明は、上記課題を解決すべくなされたもので、演出効果の高い遊技媒体収容箱を提供することである。
【課題を解決するための手段】
【０００７】
上記した課題を解決するための請求項１に記載の発明は、遊技媒体を貯留する貯留部を有する遊技媒体収容箱であって、凹部を有する筐体部と、貯留部における遊技媒体の貯留状態を疑似的に演出する疑似演出手段を有し、前記疑似演出手段は、少なくとも一方の面に演出面を有した板状体であり、前記疑似演出手段は、貯留姿勢から演出姿勢に変更可能であり、前記疑似演出手段は、凹部の底にあって貯留部の底部を形成する貯留姿勢から、貯留部から外部に引き抜かれて前記演出面が露出して側面から前記演出面を直接視認可能となる演出姿勢に変更することが可能であることを特徴とする遊技媒体収容箱である。
すなわち、本発明は、遊技媒体を貯留する貯留部を有する遊技媒体収容箱であって、凹部を有する筐体部と、貯留部における遊技媒体の貯留状態を疑似的に演出する疑似演出手段を有し、疑似演出手段は、凹部の底にあって、貯留部の底部となる貯留姿勢と、貯留部から外部に露出し、側面から直接視認可能な演出姿勢をとることが可能である。
【０００８】
かかる構成によれば、疑似演出手段は、凹部の底にあって、貯留部の底部となるため、通常使用時において、疑似演出手段が箱の一部として機能し、非演出時において邪魔にならない。
また、貯留部から外部に露出し、側面から直接視認可能な演出姿勢をとるため、直接視認でき、目につきやすい。即ち、演出効果が高い。
【０００９】
請求項１に記載の発明は、疑似演出手段は、少なくとも一方の面に演出面を有した板状体であり、演出姿勢において、当該板状体の演出面が外部に露出している。
【００１０】
ここでいう「演出面」とは、遊技媒体の疑似的な絵や、遊技媒体の個数表示等の演出効果を有する面を表す。
【００１１】
かかる構成によれば、演出姿勢において、板状体の演出面が外部に露出しているため、板状体の演出面を遊技者が直接視認しやすく、演出効果が高い。
【００１２】
上記の発明は、遊技媒体を導入する開口を有し、当該開口の縁端には、外側に張り出した張り出し部が設けられており、演出姿勢において、板状体は、張り出し部に載置されていてもよい。
【００１３】
かかる構成によれば、演出姿勢において、板状体は、張り出し部に載置されているため、板状体の設置が容易である。
請求項２に記載の発明は、前記筐体部は、前記凹部の底の上に固定部が設けられており、
前記疑似演出手段は、前記貯留姿勢において、前記固定部と係合して凹部の底に固定されていることを特徴とする請求項１に記載の遊技媒体収容箱である。
請求項３に記載の発明は、前記筐体部は、前記凹部の底の上に固定部が設けられており、前記固定部は、紐状の接続部材と、前記接続部材を巻き取り可能な巻き取り部材を有し、前記接続部材は、前記疑似演出手段に接続されていることを特徴とする請求項１又は２に記載の遊技媒体収容箱である。
請求項４に記載の発明は、前記疑似演出手段は、複数の疑似演出部材から構成されており、一の疑似演出部材は、その端面に突起部が形成されており、他の疑似演出部材は、その端面に固定穴が形成されており、前記貯留姿勢において、前記一の疑似演出部材の突起部が前記他の疑似演出部材の固定穴に挿入されて、前記一の疑似演出部材と前記他の疑似演出部材が互いに固定されていることを特徴とする請求項１に記載の遊技媒体収容箱である。
【発明の効果】
【００１４】
本発明の構成によれば、疑似演出手段は、貯留部の底部となる貯留姿勢をとるため、疑似演出手段が通常使用時において、箱の一部としての機能を有し、非演出時において邪魔にならない。また、貯留部から外部に露出し、直接視認可能な演出姿勢をとるため、直接視認でき、演出効果が高い。
【図面の簡単な説明】
【００１５】
【図１】遊技場の状況を示す説明図である。
【図２】遊技機で遊技した状況を示す説明図である。
【図３】本発明の第１実施形態にかかる遊技媒体収容箱の斜視図である。
【図４】図３の遊技媒体収容箱の分解斜視図である。
【図５】図４の筐体部の部分破断斜視図である。
【図６】図３の貯留姿勢における遊技媒体収容箱の部分破断斜視図である。
【図７】図３の演出姿勢における遊技媒体収容箱の部分破断斜視図である。
【図８】本発明の第１実施形態にかかる遊技媒体収容箱の使用例を示す図である。
【図９】本発明の第２実施形態にかかる遊技媒体収容箱の分解斜視図である。
【図１０】図９の筐体部を別方向から視た部分破断斜視図である。
【図１１】図９の貯留姿勢における遊技媒体収容箱の部分破断斜視図である。
【図１２】図９の演出姿勢における遊技媒体収容箱の部分破断斜視図である。
【図１３】本発明の第３実施形態にかかる遊技媒体収容箱の分解斜視図である。
【図１４】図１３の貯留姿勢における遊技媒体収容箱の部分破断斜視図である。
【図１５】図１３の演出姿勢における遊技媒体収容箱の説明図である。
【図１６】本発明の第４実施形態にかかる遊技媒体収容箱の貯留姿勢における部分破断斜視図である。
【図１７】図１６の貯留姿勢から疑似演出部材を引き出した際の遊技媒体収容箱の説明図である。
【図１８】図１６の遊技媒体収容箱の演出姿勢における部分破断斜視図である。
【図１９】図１６の遊技媒体収容箱の演出姿勢における使用例を示す図である。
【発明を実施するための形態】
【００１６】
以下、本発明の実施形態について詳細に説明する。
なお、以下の説明において、特に断りがない限り、上下左右の位置関係は、図３の通常の設置位置（貯留姿勢）を基準に説明する。
【００１７】
本実施形態の遊技媒体収容箱１は、主に遊技場の床面に載置されるものである。本実施形態の遊技媒体収容箱１の構成に先立って、遊技場の構造について説明する。
遊技場は、主に複数の遊技機（パチンコ機やスロット機等）２００を１つの群とした所謂遊技島２０１が複数配されている。そこで、以下の説明においては、理解を容易にするために、１つの遊技島２０１（遊技機群）に注目して説明する。なお、本実施形態においては、遊技機２００の具体例として、パチンコ機の場合について述べる。
【００１８】
即ち、図１に示すように、遊技島２０１においては、所定台数分（図１では５台分）の遊技機取り付け部２０２が設けられており、その各遊技機取り付け部２０２に１台ずつ遊技機２００が設置されている。具体的には、遊技島２０１においては、所定の台数の遊技機２００が２列（図１の正面側に１列、後面側に１列）に配され、各列に遊技機２００が並設されている。そして、各遊技機２００に対向する位置に遊技者が着座可能な椅子（図２）が１脚ずつ配置されている。
【００１９】
ところで、遊技機２００は、上述したように、遊技媒体（パチンコ球）を使用して遊技する。この遊技機２００においては、遊技中に球が入賞口に入賞し、大当たりに当選するなどの所定条件が成立することによって、所定個数の球が遊技機２００から遊技者に対して払い出される。
【００２０】
そして、遊技機２００から払い出された球のうち、少なくとも遊技機２００に備えられた受け皿（図示しない）の収容量を超える分が手動操作によって取り出され、所定の貯留箱又は遊技媒体収容箱１に貯留され、その遊技媒体収容箱１は、遊技者が遊技を終了するまで遊技場の床面に並べられる。
このとき、本発明の遊技媒体収容箱１を裏返し、その上に球を貯留した貯留箱又は遊技媒体収容箱１を載置し、疑似的にかさ上げする。そして、本発明は、このかさ上げされた状態での最下部に配される遊技媒体収容箱１に特徴を有する。以下、遊技媒体収容箱１について説明する。
【００２１】
本発明の遊技媒体収容箱１は、少なくとも遊技媒体を貯留する貯留姿勢と、遊技媒体の貯留状態を演出する演出姿勢とを取ることが可能である。
遊技媒体収容箱１は、図４のように筐体部２と、疑似演出手段３とを有する。
【００２２】
まず、筐体部２の構成について説明する。
筐体部２は、図３，４のように略直方体状の本体部５と使用者が持ち運ぶための把持部１２とを有している。
本体部５は、図４、図５のように長方形状の底面部７と、底面部７の端部から上方向に延びた４つの側壁部８ａ〜８ｄからなっている。即ち、底面部７の上方には、４つの側壁部８ａ〜８ｄに囲まれた貯留空間１０が形成されている。貯留空間１０は、上方に開放した空間である。言い換えると、底面部７と側壁部８ａ〜８ｄによって凹部が形成されている。
そして、側壁部８ａ〜８ｄの上端部（底面部７と対向側）には外側方向（貯留空間１０と対向する方向）に張り出した張り出し部１１ａ〜１１ｄが設けられている。そして、短辺側の張り出し部１１ｂ，１１ｄは、略中央部で把持部１２と接続されている。また、張り出し部１１ａ〜１１ｄによって開口３３が形成されている。
把持部１２は、使用者が持ち運ぶ際に把持する部位である。そして、張り出し部１１ｂ，１１ｄの上面と把持部１２の上面はいずれも同一平面上にあり、面一となっている。
底面部７の長辺側に位置する張り出し部１１ａ，１１ｃは、図５のように外側方向先端に下方に向けて突出した係合部１６ａ，１６ｃを有している。即ち、本体部５は、側壁部８ａと張り出し部１１ａと係合部１６ａとによって囲まれた固定空間２３ａを有している。同様に、本体部５は、側壁部８ｃと張り出し部１１ｃと係合部１６ｃとによって囲まれた固定空間２３ｃを有している。固定空間２３ａ，２３ｃは、ともに貯留姿勢において下方に開放された空間である。
【００２３】
本体部５の下部に目を移すと、底面部７の長辺と接続する側壁部８ａ，８ｃの下端部近傍には、スリット状の貫通孔２０が設けられている。貫通孔２０は、後述する疑似演出手段３を挿入可能となっている。即ち、貫通孔２０は、側壁部８ａ，８ｃの厚み方向に貫通した孔であり、疑似演出部材１５ａ，１５ｂ（図４参照）を挿通可能となっている。
また、貫通孔２０の開口２１の下辺付近には、本体部５の中途から開口２１の下辺に向けて下り傾斜した傾斜部１８が設けられている。傾斜部１８は、緩やかに傾斜している。傾斜部１８は、貫通孔２０の長手方向ｌの中央に形成されている。
底面部７には、図５のように幅方向ｗの中央に固定部２２が設けられている。固定部２２は、長手方向ｌ全体に亘って設けられている。固定部２２は、断面形状が略「Ｔ」字状となっている。固定部２２は、支持部３１と、支持部３１の上端部から幅方向ｗ外側に張り出した張り出し固定部３０とを有している。
即ち、張り出し固定部３０と支持部３１と底面部７によって囲まれた固定空間２６が形成されている。固定空間２６は、支持部３１の幅方向ｗの両外側に形成されている。この固定空間２６は、幅方向ｗ外側に向けて開放された空間であり、その延長線上に貫通孔２０が位置している。
張り出し固定部３０は、その張り出し方向先端部に下方向に突出した突起部３２を有している。突起部３２は、長手方向ｌ全体に亘って形成されている。突起部３２は、疑似演出手段３の疑似演出部材１５の切り欠き溝２７（図４参照）と係合可能となっている。
底面部７と張り出し固定部３０の下面との距離Ｈは、疑似演出手段３の疑似演出部材１５（図４参照）の厚みとほぼ等しい。即ち、底面部７と突起部３２によって、疑似演出部材１５の一部を張り出し固定部３０の弾性限度内で挟持可能となっている。
【００２４】
続いて、疑似演出手段３の構成について説明する。
疑似演出手段３は、図４のように複数の疑似演出部材１５（本実施形態では２つ）で構成されている。
本実施形態では、疑似演出手段３は、疑似演出部材１５ａと疑似演出部材１５ｂとで構成されている。疑似演出部材１５ａ，１５ｂは、図４のように少なくとも上面に、遊技媒体の絵等を施した演出面１７を有した長方形状の板状体である。疑似演出部材１５ａ，１５ｂは、本体部５内に底面部７と平行となる姿勢で収納可能となっている。
そして、疑似演出部材１５ａの幅方向（図４のｗ方向）内側端部付近は、長辺に沿って形成された切り欠き溝２７を有している。切り欠き溝２７は、長手方向ｌ全体に亘って形成されている。そして、前記したように、切り欠き溝２７は、貯留姿勢において、張り出し固定部３０の突起部３２（図５参照）と係合可能な形状となっている。
【００２５】
一方、疑似演出部材１５ａの幅方向（図４のｗ方向）外側端部付近は、摘持部２５を有している。摘持部２５は、長手方向ｌの中央部分に形成されている。摘持部２５は、部材厚方向に切り欠きされて形成されている。即ち、疑似演出部材１５ａは、摘持部２５を摘持し、幅方向ｗの外側に引っ張ることによって筐体部２から着脱可能となっている。
また、疑似演出部材１５ｂは、貯留姿勢において、疑似演出部材１５ａと左右対称となっていること以外はほぼ同様であるため、説明を省略する。
【００２６】
続いて、各姿勢における遊技媒体収容箱１の各部材の位置関係、特に筐体部２と疑似演出手段３の位置関係について、主に図６，７を参照しながら説明する。
まず、説明の都合上、図６のように筐体部２内に疑似演出手段３が収納され、遊技媒体を貯留可能な姿勢（以下、貯留姿勢ともいう）から説明する。
貯留姿勢では、遊技媒体収容箱１は、図６のように疑似演出部材１５ａ及び疑似演出部材１５ｂが、貫通孔２０から挿入されており、その挿入方向先端部分は、固定部２２によって本体部５の底部に固定されている。
具体的には、固定部２２の固定空間２６（図５参照）内に疑似演出部材１５ａ及び疑似演出部材１５ｂの内側端部が挿入されており、張り出し固定部３０と底面部７によって疑似演出部材１５ａ及び疑似演出部材１５ｂが挟まれている。そして、突起部３２が切り欠き溝２７に当接している。
摘持部２５は、本体部５の貯留空間１０の外側に露出している。また、摘持部２５は、傾斜部１８の上方に位置している。即ち、本体部５の外部から疑似演出部材１５ａ及び疑似演出部材１５ｂを摘持可能となっている。
張り出し固定部３０及び疑似演出部材１５ａ，１５ｂは一体となって、水平方向を向いており、底板として機能している。そして、張り出し固定部３０及び疑似演出部材１５ａ，１５ｂのそれぞれの上面は、同一平面上にあり、面一となっている。
【００２７】
次に、演出姿勢について、一般的な使用手順に沿って説明する。
まず、遊技媒体収容箱１を矢印（図６参照）のように回転させて天地を逆転させる。その後、摘持部２５を摘持し、本体部５の内部（貯留空間１０側）から疑似演出部材１５ａ，１５ｂを本体部５の外側に引き抜く。そして、疑似演出部材１５ａ，１５ｂを本体部５の張り出し部１１ａ，１１ｃの上方（貯留姿勢では下方）に位置する固定空間２３内に挿入する。
このとき、図７のように、本体部５の外側に疑似演出部材１５ａ，１５ｂが位置しており、外部側面から直接疑似演出部材１５ａ，１５ｂの演出面１７が視認可能となっている。即ち、疑似演出部材１５ａ，１５ｂは、本体部５から外部に露出し、側面から演出面１７を直接視認可能な姿勢（以下、演出姿勢ともいう）を取る。
【００２８】
この姿勢において、張り出し部１１ａ，１１ｃ上に疑似演出部材１５ａ，１５ｂが載置されている。即ち、疑似演出部材１５が水平方向に対して交差する方向に立設するように疑似演出部材１５を本体部５の側壁部８ａ，８ｃに立てかけている。
そして、疑似演出部材１５ａ，１５ｂの下面の一部（図７では内側面）は、本体部５の側壁部８ａ，８ｃに当接しており、係止されている。一方、疑似演出部材１５ａ，１５ｂの上面の一部（図７では外側端面）も、本体部５の係合部１６ａ，１６ｃの内壁に当接しており、係止されている。即ち、演出面１７が外側を向いており、側面から直接視認できるようになっている。
【００２９】
本発明の第１実施形態の遊技媒体収容箱１によれば、例えば、図８のように床面に並べて演出する場合、遊技媒体収容箱１内に遊技媒体が貯留されていなくても、演出姿勢にすることによって、図８のように演出面１７によって出球演出が可能である。
第１実施形態の遊技媒体収容箱１によれば、演出の変更時において、疑似演出部材１５ａ，１５ｂを取り替えることで演出の変更が可能であるため、遊技媒体収容箱１全体を変更する必要がなく、演出の変更時のコストが低い。
【００３０】
続いて、以下、本発明の第２実施形態について説明する。なお、第１実施形態と同様のものは、同じ符号を付して説明を省略する。
【００３１】
第２実施形態の遊技媒体収容箱５０は、第１実施形態の遊技媒体収容箱１と同様、遊技媒体を貯留する貯留姿勢と、遊技媒体の貯留状態を演出する演出姿勢とを取ることが可能である。
遊技媒体収容箱５０は、図９のように筐体部５２と、疑似演出手段５３とを有する。
筐体部５２は、第１実施形態の筐体部２とほぼ同様の構成を有している。
【００３２】
第１実施形態の筐体部２と異なる点について説明すると、筐体部５２には、固定部２２がない。
張り出し部１１ａ，１１ｃには、図１０のように受け穴５７が複数設けられている。本実施形態では、受け穴５７は張り出し部１１ａ，１１ｃにそれぞれ２コずつ設けられている。
また、受け穴５７の位置は、図１２のように組み立て、完成時（演出姿勢）に疑似演出部材６０ａ，６０ｂの突起部５５に対応する位置に設けられている。
疑似演出手段５３は、図９のように第１実施形態の疑似演出手段３の構成とほぼ同様の構成を有している。
第１実施形態の疑似演出手段３と異なる点について説明すると、疑似演出手段５３は、複数の疑似演出部材６０（本実施形態では２つ）から構成されている。
本実施形態では、疑似演出手段５３は、疑似演出部材６０ａと疑似演出部材６０ｂから構成されている。
本実施形態では、図１１のように固定部２２で固定する代わりに疑似演出部材６０ａ，６０ｂ間で互いに固定する。即ち、疑似演出部材６０ａ，６０ｂは、双方を接続させると１枚の板材となる。疑似演出部材６０ａ，６０ｂは、図９のように幅方向ｗの内側端部に突起部５５と固定穴５６が設けられている。なお、図面の都合上、図９では、疑似演出部材６０ｂのみ突起部５５と固定穴５６が図示されている。
突起部５５は円柱状の突起であり、固定穴５６は開口形状が円形の有底穴である。そして、疑似演出部材６０ａ，６０ｂの突起部５５は、互い違いに食い違っている。一方、疑似演出部材６０ａ，６０ｂの固定穴５６も、互い違いに食い違っている。即ち、疑似演出部材６０ａの突起部５５と疑似演出部材６０ｂの固定穴５６、疑似演出部材６０ａの固定穴５６と疑似演出部材６０ｂの突起部５５は、互いに嵌合可能となっている。
また、各疑似演出部材６０ａ，６０ｂの突起部５５と固定穴５６は、長手方向ｌに１列に並んでいる。そして、突起部５５と固定穴５６は、長手方向ｌに交互に配されている。疑似演出部材６０ａ，６０ｂの突起部５５は、図１２のように張り出し部１１ａ，１１ｃの受け穴５７内に挿入可能であり嵌合可能となっている。
【００３３】
続いて、各姿勢における遊技媒体収容箱５０の各部材の位置関係、特に筐体部５２と疑似演出手段５３の位置関係について、主に図１１，１２を参照しながら説明する。
まず、貯留姿勢（図１１）から説明する。
疑似演出手段５３の疑似演出部材６０ａ，６０ｂは、筐体部５２の貫通孔２０から本体部５の内部に挿入されている。そして、疑似演出部材６０ａ，６０ｂ間で、疑似演出部材６０ａ，６０ｂの突起部５５と固定穴５６が双方に挿入され、嵌合している。
摘持部２５は、傾斜部１８の上方に位置している。摘持部２５は、貯留空間１０の外側に露出している。即ち、本体部５の外部から疑似演出部材６０ａ，６０ｂを摘持可能となっている。
【００３４】
次に、演出姿勢について、一般的な使用手順に沿って説明する。
まず、遊技媒体収容箱５０を矢印（図１１参照）のように回転させて天地を逆転させる。その後、摘持部２５を摘持し、筐体部５２の内部（貯留空間１０側）から疑似演出部材６０ａ，６０ｂを筐体部５２の外部へ引き抜く。そして、疑似演出部材６０ａ，６０ｂを本体部５の張り出し部１１ａ，１１ｃの下方（図１２では上方）に位置する固定空間２３内に挿入する。
このとき、図１２のように、本体部５の外側に疑似演出部材６０ａ，６０ｂが位置しており、外部から直接疑似演出部材６０ａ，６０ｂの演出面１７を視認可能となっている。即ち、本体部５から外部に露出し、演出面１７を直接視認可能な姿勢（以下、演出姿勢ともいう）を取る。
【００３５】
張り出し部１１ａ，１１ｃ上に疑似演出部材６０ａ，６０ｂが載置されている。即ち、疑似演出部材６０が水平方向に対して交差する方向に立設するように疑似演出部材６０ａ，６０ｂの突起部５５が、張り出し部１１ａ，１１ｃの受け穴５７内に挿入されており、互いに嵌合している。即ち、演出面１７が外側を向いており、側面から直接視認できるようになっている。
【００３６】
第２実施形態の遊技媒体収容箱５０は、演出姿勢において、疑似演出部材６０ａ，６０ｂに突起部５５を有し、当該突起部５５は、張り出し部１１ａ，１１ｃの受け穴５７内に挿入されている。
【００３７】
それ故に、遊技媒体収容箱５０によれば、演出姿勢において、疑似演出部材６０ａ，６０ｂの突起部５５が、張り出し部１１ａ，１１ｃの受け穴５７内に挿入されているため、疑似演出部材６０ａ，６０ｂが外れにくく、倒れにくい。
【００３８】
上記した実施形態では、１つの遊技媒体収容箱で疑似演出を行ったが、本発明はこれに限定されるものではなく、２つの遊技媒体収容箱に跨がって疑似演出部材を設置してもよい。具体的には、第３実施形態として説明する。なお、第１実施形態と同様のものは、同じ符号を付して説明を省略する。
【００３９】
第３実施形態の遊技媒体収容箱７０は、第１実施形態の遊技媒体収容箱１と同様、遊技媒体を貯留する貯留姿勢と、遊技媒体の貯留状態を演出する演出姿勢とを取ることが可能である。
【００４０】
遊技媒体収容箱７０は、図１３のように筐体部７２と疑似演出手段７３とを有している。
疑似演出手段７３は、複数の疑似演出部材８０（本実施形態では２つ）から構成されている。
本実施形態では、疑似演出手段７３は、疑似演出部材８０ａと疑似演出部材８０ｂとで構成されている。疑似演出部材８０ａ，８０ｂの幅方向ｗの長さは、底面部７の幅方向ｗの長さよりもやや大きい。疑似演出部材８０は、側面視略「Ｌ」字状となっている。疑似演出部材８０ａ，８０ｂは、演出本体８６と、摘持部８７を有している。摘持部８７は、演出本体８６に対して傾斜して立設している。
【００４１】
続いて、各姿勢における遊技媒体収容箱７０の各部材の位置関係、特に筐体部７２と疑似演出手段７３の位置関係について、主に図１４，１５を参照しながら説明する。
まず、貯留姿勢（図１４）から説明する。
疑似演出手段７３の疑似演出部材８０ａ，８０ｂは、貫通孔２０から挿入されており、本体部５の内部に疑似演出部材８０ａ，８０ｂの双方が挿入されている。そして、疑似演出部材８０ａ上に疑似演出部材８０ｂが載置されている。具体的には、疑似演出部材８０ａの演出本体８６上に疑似演出部材８０ｂの演出本体８６が載置されており、疑似演出部材８０ａ，８０ｂの摘持部８７は互いに上下方向に対向する方向を向いている。
また、摘持部８７は、本体部５の外側に露出している。ここで、摘持部８７は、演出本体８６に対して傾斜して立設しているため、側壁部８ａ，８ｃと摘持部８７との間に所定の空間が形成されている。即ち、前記空間内に使用者の指を挿入可能となっており、本体部５の外部から疑似演出部材８０ａ及び疑似演出部材８０ｂを摘持可能となっている。
【００４２】
次に、演出姿勢について、一般的な使用手順に沿って説明する。
まず、遊技媒体収容箱７０を矢印（図１４参照）のように回転させて天地を逆転させる。そして、その遊技媒体収容箱７０の底面部７上に別の遊技媒体収容箱７０を載置する。その後、摘持部８７を摘持し、筐体部７２の内部（貯留空間１０側）から疑似演出部材８０ａ，８０ｂを筐体部７２の外部に引き抜く。そして、疑似演出部材８０ａ，８０ｂを本体部５の張り出し部１１ａ，１１ｃの下方（図１５では上方）に位置する固定空間２３内に挿入する。
このとき、図１５のように、本体部５の外側に疑似演出部材８０ａ，８０ｂが位置しており、外部側面から直接疑似演出部材８０ａ，８０ｂの演出面１７を視認可能となっている。即ち、本体部５から外部に露出し、演出面１７を側面から直接視認可能な姿勢（以下、演出姿勢ともいう）を取る。
【００４３】
この姿勢において、２コの遊技媒体収容箱７０に亘って疑似演出部材８０ａ，８０ｂが立てかけられている。
即ち、２コの遊技媒体収容箱７０（説明の都合上、上部遊技媒体収容箱７０ａと下部遊技媒体収容箱７０ｂ）を上下方向に設置する。このとき、遊技媒体収容箱７０の互いの底面部７同士が重なっている。即ち、下部遊技媒体収容箱７０ｂの開口３３は、下方を向いており、上部遊技媒体収容箱７０ａの開口３３は上方を向いている。
疑似演出部材８０ａ，８０ｂの一方の端部は上部遊技媒体収容箱７０ａの疑似演出部材８０ａ，８０ｂの摘持部８７に当接している。疑似演出部材８０ａ，８０ｂの他方の端部は下部遊技媒体収容箱７０ｂの係合部１６ａ，１６ｃに当接している。疑似演出部材８０ａ，８０ｂは演出面１７が外側を向いており、側面から直接視認できるようになっている。
【００４４】
第３実施形態の遊技媒体収容箱７０は、疑似演出部材８０ａ，８０ｂを有し、当該疑似演出部材８０ａ，８０ｂは、２つの遊技媒体収容箱７０に亘って、立てかけられており、疑似演出部材８０ａ，８０ｂの演出面１７は外側を向いている。
【００４５】
第３実施形態の遊技媒体収容箱７０によれば、２つの遊技媒体収容箱７０に亘って、疑似演出部材８０ａ，８０ｂが立てかけられているため、視認しやすく、演出効果が高い。
【００４６】
続いて、以下、本発明の第４実施形態について説明する。なお、第１実施形態と同様のものは、同じ符号を付して説明を省略する。
【００４７】
第４実施形態の遊技媒体収容箱１００は、第１実施形態の遊技媒体収容箱１と同様、遊技媒体を貯留する貯留姿勢と、遊技媒体の貯留状態を演出する演出姿勢とを取ることが可能である。
【００４８】
遊技媒体収容箱１００は、図１６のように筐体部１０２と疑似演出手段１０３とを有している。
疑似演出手段１０３は、疑似演出部材１１０ａと疑似演出部材１１０ｂから構成されている。
固定部１１２は、内部に巻き取り部材１１５と接続部材１１６とを有している。また、固定部１１２は、外側方向に突出した係合突起１２０を有している。
巻き取り部材１１５は、接続部材１１６を巻き取り可能な部材であり、ケース１１７と接続部材１１６を巻き取り可能なリール１１８とを有している。
リール１１８は、ボビンである。リール１１８は接続部材１１６を巻き取る方向に付勢されている。
接続部材１１６は紐状体である。また、接続部材１１６は折り曲げ自在となっている。接続部材１１６の一方の端部はリール１１８と接着されており、接続部材１１６が離反することを防止している。接続部材１１６の他方の端部は疑似演出部材１１０ａ，１１０ｂの端部に接着されている。
係合突起１２０は断面形状が円形の柱体である。
【００４９】
疑似演出部材１１０は、図１７のように１又は複数の受け穴１２１を有している。
本実施形態では、疑似演出部材１１０ａ，１１０ｂの内側方向端面には、受け穴１２１がそれぞれ２つずつ設けられている。受け穴１２１の内壁は、係合突起１２０の外壁の形状とほぼ等しい。なお、図１７では図面の都合上、受け穴１２１は１つしか図示していない。疑似演出部材１１０の内側方向端面の長手方向ｌの略中央位置には、接続部材１１６が固着されている。
疑似演出部材１１０の外側方向端面には、１又は複数の固定片１２２が設けられている。本実施形態では疑似演出部材１１０ａ，１１０ｂの外側方向端面には、固定片１２２がそれぞれ２つずつ設けられている。なお、図１７では図面の都合上、固定片１２２は１つしか図示していない。
固定片１２２は、略「コ」の字状となっている。
張り出し部１１ａ，１１ｃの下面（図１８では上面）には、演出固定部１２３を有している。
疑似演出部材１１０ａ，１１０ｂの固定片１２２は、張り出し部１１ａ，１１ｃの演出固定部１２３と係合可能となっている。そして、固定片１２２は、引き出す際に摘む摘持部としても機能する。
【００５０】
続いて、各姿勢における遊技媒体収容箱１００の各部材の位置関係、特に筐体部１０２と疑似演出手段１０３の位置関係について、主に図１６，１８を参照しながら説明する。
まず、貯留姿勢（図１６）から説明する。
疑似演出手段１０３の疑似演出部材１１０ａ，１１０ｂは、貫通孔２０に挿通されており、受け穴１２１内に係合突起１２０が挿入されている。
固定片１２２は、本体部５の外側に露出している。即ち本体部５の外部から固定片１２２を摘持可能となっている。
【００５１】
次に、演出姿勢について、一般的な使用手順に沿って説明する。
まず、遊技媒体収容箱１００を矢印（図１６参照）のように回転させて天地を逆転させる。その後、固定片１２２を摘持し、筐体部１０２の内部（貯留空間１０側）から疑似演出部材１１０ａ，１１０ｂを筐体部１０２の外部に引っ張り出す。そして、疑似演出部材１１０ａ，１１０ｂを本体部５の張り出し部１１ａ，１１ｃの下面（図１８では上面）に位置する固定空間２３内に挿入する。
このとき、図１９のように、本体部５の外側に疑似演出部材１１０ａ，１１０ｂが位置しており、外部から直接疑似演出部材１１０ａ，１１０ｂの演出面１７を視認可能となっている。即ち、本体部５から外部に露出し、側面から演出面１７を直接視認可能な姿勢（以下、演出姿勢ともいう）を取る。
演出固定部１２３は、図１８のように固定片１２２と係合しており、接続部材１１６が張力によってケース１１７内への移動することを規制している。
疑似演出部材１１０ａ，１１０ｂは演出面１７が外側を向いており、側面から直接視認できるようになっている。
【００５２】
第４実施形態の遊技媒体収容箱１００は、筐体部１０２と疑似演出部材１１０ａ，１１０ｂを有し、疑似演出部材１１０ａ，１１０ｂと接続される接続部材１１６と、接続部材１１６を巻き取り可能な巻き取り部材１１５を有し、貯留姿勢において、巻き取り部材１１５は接続部材１１６を自動的に巻き取り可能となっている。
【００５３】
第４実施形態の遊技媒体収容箱１００によれば、自動的に接続部材１１６を巻き取ることが可能であるため、姿勢の変更が容易である。
【００５４】
上記した第３実施形態では、２コの遊技媒体収容箱７０を上下に配列したが、本発明はこれに限定されるものではなく、遊技媒体収容箱７０の上に従来の貯留箱を載置してもよい。
【００５５】
上記した実施形態では、側壁部８ａ，８ｃ側から疑似演出部材を引き抜いたが、本発明はこれに限定されるものではなく、側壁部８ｂ，８ｄにスリット状の貫通孔２０を設けて、側壁部８ｂ，８ｄ側から疑似演出部材を引き抜いてもよい。
【００５６】
上記した実施形態では、遊技媒体収容箱１を回転させて天地を逆転させたのちに、摘持部２５を摘持し、本体部５の内部（貯留空間１０側）から疑似演出部材１５ａ，１５ｂを引き抜いたが、本発明はこれに限定されるものではなく、摘持部２５を摘持し、本体部５の内部（貯留空間１０側）から疑似演出部材１５ａ，１５ｂを引き抜いた後に、遊技媒体収容箱１を回転させて天地を逆転させてもよいし、疑似演出部材１５ａ，１５ｂを本体部５の張り出し部１１ａ，１１ｃに位置する固定空間２３内に挿入したのちに遊技媒体収容箱１を回転させて天地を逆転させてもよい。
【符号の説明】
【００５７】
１，５０，７０，１００  遊技媒体収容箱
２，５２，７２，１０２  筐体部（貯留部）
３，５３，７３，１０３  疑似演出手段
１１ａ，１１ｂ  張り出し部
１５ａ，１５ｂ，６０ａ，６０ｂ，８０ａ，８０ｂ，１１０ａ，１１０ｂ  疑似演出部材
１７  演出面
３３  開口
【図１】
0005877671.tif 000002
【図２】
0005877671.tif 000003
【図３】
0005877671.tif 000004
【図４】
0005877671.tif 000005
【図５】
0005877671.tif 000006
【図６】
0005877671.tif 000007
【図７】
0005877671.tif 000008
【図８】
0005877671.tif 000009
【図９】
0005877671.tif 000010
【図１０】
0005877671.tif 000011
【図１１】
0005877671.tif 000012
【図１２】
0005877671.tif 000013
【図１３】
0005877671.tif 000014
【図１４】
0005877671.tif 000015
【図１５】
0005877671.tif 000016
【図１６】
0005877671.tif 000017
【図１７】
0005877671.tif 000018
【図１８】
0005877671.tif 000019
【図１９】
0005877671.tif 000020